(57)【要約】【課題】水持ちが良好で層部の形状に垂れが生じにくい緑化面形成材を提供する。【解決手段】支持体１１と、この支持体の表面に設けられた保水層１２と、この保水層１２を通る水を留める堰止め材１３と、上記保水層１２の表面側を覆うとともに縫い合わせによる区画領域を有する表面層１４と、上記保水層１２と表面層１４との間に形成される根張り領域に通じる、上記表面層１４に形成された切れ目部１５と、水を上記保水層１２の上端に滴り落とす潅水管１６と、を備える。上記根張り領域には土３が設けられ、植物２の根が入れられる。【選択図】図２
2014027915.tif 000002
【特許請求の範囲】
【請求項１】
水が通る層部と、上記層部を支持する支持体と、上記層部を通る水を留める水留め部と、を備えたことを特徴とする緑化面形成材。
【請求項２】
請求項１に記載の緑化面形成材において、上記水留め部が間隔をおいて上下方向に複数設けられていることを特徴とする緑化面形成材。
【請求項３】
請求項１または請求項２に記載の緑化面形成材において、上記層部の側部が止水処理されていることを特徴とする緑化面形成材。
【請求項４】
請求項１〜請求項３のいずれか１項に記載の緑化面形成材において、上記水留め部を通過する水の量を調整する水通過調整部が形成されていることを特徴とする緑化面形成材。
【請求項５】
請求項１〜請求項４のいずれか１項に記載の緑化面形成材において、上記層部の表面側を覆って根張り領域を形成する表面層が備えられていることを特徴とする緑化面形成材。
【請求項６】
請求項５に記載の緑化面形成材において、上記表面層と上記層部を縫い合わせて区画領域が形成されており、各区画領域の表面層に上記根張り領域に通じる切れ目部が形成されていることを特徴とする緑化面形成材。
【請求項７】
請求項５または請求項６に記載の緑化面形成材において、上記層部から水を受け取って上記根張り領域に導く導水層を設けたことを特徴とする緑化面形成材。
【請求項８】
請求項１〜請求項７のいずれか１項に記載の緑化面形成材において、上記層部の上端部に水を供給する潅水管を有することを特徴とする緑化面形成材。
【請求項９】
請求項１〜請求項８のいずれか１項に記載の緑化面形成材において、上記層部は保水性を有する保水層であることを特徴とする緑化面形成材。
【請求項１０】
請求項１〜請求項９のいずれか１項に記載の緑化面形成材において、上記水留め部は空気層からなることを特徴とする緑化面形成材。
【請求項１１】
請求項１〜請求項９のいずれか１項に記載の緑化面形成材において、上記水留め部は部材からなることを特徴とする緑化面形成材。
【発明の詳細な説明】
【技術分野】
【０００１】
この発明は、建物の壁などの緑化に利用することができる緑化面形成材に関する。
【背景技術】
【０００２】
特許文献１には、緑化植物を植生可能なマットを複数箇所で表側に向けて凸状に膨出させ、緑化植物と共に土壌や保水材等を保持する複数のポケット部を形成し、これにより家屋・塀・仮囲い等の建造物の表面緑化を行う表面緑化用器材が開示されている。
【０００３】
また、特許文献２には、第１の保水シート材と、略水平方向に切れ目を設けた前記第１の保水シートと略同サイズの第２の保水シート材とを積層し、前記切れ目を中心に区画するように前記第１、第２の保水シート材を縫製して、前記切れ目ごとにポケットを区画し、前記ポケット内で植物を植栽する植物育成マットが開示されている。
【先行技術文献】
【特許文献】
【０００４】
【特許文献１】特開２００４−２６７０８４号公報
【特許文献２】特開２０１０−１１９３１７号公報
【発明の概要】
【発明が解決しようとする課題】
【０００５】
しかしながら、上記特許文献１および特許文献２に開示された表面緑化用器材や植物育成マットでは、水持ちが悪いために下部に水が溜まりやすく、全体をできるだけ均質に保湿させようとすると、水使用量が多くなり、これでは逆に過湿状態になりやすい。また、シート材の耐久性が低く、形状に垂れが生じやすい。
【０００６】
この発明は、上記の事情に鑑み、水持ちが良好であり全体として概ね均質な保水状態を形成でき層部の形状に垂れが生じにくい緑化面形成材を提供することを課題とする。
【課題を解決するための手段】
【０００７】
この発明の緑化面形成材は、上記の課題を解決するために、水が通る層部と、上記層部を支持する支持体と、上記層部を通る水を留める水留め部と、を備えたことを特徴とする。
【０００８】
上記の構成であれば、上記水留め部を設けたので、この水留め部が設けられている各々の箇所での水持ちを良好にでき、全体として概ね均質な保水状態を形成できる。また、上記水留め部によって上記層部が区分されると、この区分された層部は全体大きさに比べて小さくなるので、層部の形状に垂れが生じにくくなる。
【０００９】
上記水留め部が間隔をおいて上下方向に複数設けられていてもよい。これによれば、緑化面形成材に植物が間隔をおいて配置される場合に、各植物に対して水持ちが良好である部分を割り当てることができる。
【００１０】
上記層部の側部が止水処理されていてもよい。これによれば、上記水留め部で留められた水が上記層部の側部に到達し、この側部から水がしみ出ていくのを防止できる。
【００１１】
上記水留め部を通過する水の量を調整する水通過調整部が形成されていてもよい。これによれば、水持ち状態が過剰になるのを上記水通過調整部によって防止することができる。
【００１２】
上記層部の表面側を覆って根張り領域を形成する表面層が備えられていてもよい。また、上記表面層と上記層部を縫い合わせて区画領域が形成されており、各区画領域の表面層に上記根張り領域に通じる切れ目部が形成されていてもよい。
【００１３】
上記層部から水を受け取って上記根張り領域に導く導水層を設けてもよい。これによれば、上記導水層によって上記根張り領域に水を良好に導くことができる。
【００１４】
上記層部の上端部に水を供給する潅水管を有していてもよい。上記層部は保水性を有する保水層であるのがよい。上記水留め部は空気層或いは部材からなっていてもよい。
【発明の効果】
【００１５】
本発明であれば、水持ちが良好で全体として概ね均質な保水状態を形成でき層部に垂れが生じにくいという優れた効果を奏する。
【図面の簡単な説明】
【００１６】
【図１】本発明の一実施形態に係る緑化面形成材を示した斜視図である。
【図２】保水層等を支持体に固定するのにステープルを用いた図１の部分拡大断面図である。
【図３】本発明の一実施形態に係る緑化面形成材の堰止め材の配置例を示した斜視図である。
【図４】本発明の一実施形態に係る緑化面形成材の水通過調整穴の配置例を示した斜視図である。
【図５】保水層等を支持体に固定するのに釘を用いた図１の部分拡大断面図である。
【図６】保水層等を支持体に固定するのに埋め込みボルト及びナットを用いた図１の部分拡大断面図である。
【図７】本発明の他の実施形態に係る緑化面形成材を示した斜視図である。
【図８】図７の緑化面形成材を用いた植物植え込み例を示した部分拡大断面図である。
【図９】図７の緑化面形成材を用いた植物植え込み例を示した部分拡大断面図である。
【図１０】本発明の他の実施形態に係る緑化面形成材を示した斜視図である。
【図１１】図１０の緑化面形成材を用いた植物植え込み例を示した部分拡大断面図である。
【図１２】図１０の緑化面形成材を用いた植物植え込み例を示した部分拡大断面図である。
【発明を実施するための形態】
【００１７】
次に、この発明の実施形態に係る緑化面形成材を添付図面に基づいて具体的に説明する。なお、本発明に係る緑化面形成材は、下記の実施形態に示したものに限定されず、その要旨を変更しない範囲において適宜変更して実施できるものである。
【００１８】
図１はこの発明の実施形態に係る緑化面形成材１を示した斜視図であり、図２は植物２を植え込んだ状態の上記緑化面形成材１の部分拡大断面図である。上記緑化面形成材１は、支持体１１と、この支持体１１の表面に設けられた保水層（層部）１２と、この保水層１２を通る水を留める堰止め材１３と、上記保水層１２の表面側を覆うとともに縫い合わせによる区画領域を有する表面層１４と、上記保水層１２と表面層１４との間に形成される根張り領域に通じる、上記表面層１４に形成された切れ目部１５と、潅水管１６と、を備える。上記根張り領域には土３が設けられ、植物２の根が入れられる。
【００１９】
上記支持体１１は、例えば、セメント板或いはプラスチック板などの剛体板から成る。勿論、この支持体１１は、水に起因した腐食の生じにくい素材で形成されるのが望ましく、また、仮に腐食を生じやすい素材であるとしても表面に防水加工等が施されたものでもよい。また、上記支持体１１は、人或いは機械により搬送できる程度の大きさ（重量）を有するのが望ましい。
【００２０】
上記保水層１２は、例えば吸水性ポリマーシート、繊維素材であるランシール（登録商標）、ＰＶＡ（ポリビニルアルコール）スポンジなどの保水性スポンジなどから成る。また、上記保水層１２をマットやフェルトを用いて形成してもよい。上記保水層１２は、吸水しても縦横寸法は変わらずに厚みのみ増大するものを用いてもよい。
【００２１】
上記表面層１４は、内側に配置された第１シート１４ａと外側に配置された第２シート１４ｂとから成る。上記第１シート１４ａは、上記第２シート１４ｂに比べて引張強度の高いものが用いられおり、上記根張り領域に根が収容される植物２を支える支持シートとして機能している。一方、上記第２シート１４ｂは、上記第１シート１４ａに比べて乾燥防止性（水分の蒸発抑止性）に優れたものが用いられており、乾燥防止シートとして機能している。また、上記第２シート１４ｂは、紫外線を遮蔽する性質を有するとともに温度、湿度、雨等に対する耐候性を有しているのがよい。勿論、上記表面層１４は２枚のシートから成るものに限らない。
【００２２】
上記潅水管１６は、上記保水層１２の上端部に水を供給するものであり、図示しない留め金具などにより上記支持体１１に留め付けられている。上記潅水管１６には外表面に通じる貫通穴が形成されており、この貫通穴から滴り落ちる水が上記保水層１２の上端側に供給される。上記潅水管１６には図示しない貯水タンク等から水が供給される。
【００２３】
上記の保水層１２および表面層１４は、タッカーにより打ち込まれたステープル１７によって上記支持体１１に固定されている。上記ステープル１７は例えば上記縫い合わせ部分に打ち込まれる。
【００２４】
上記堰止め材１３は、通水性を有しない木材、樹脂製材、セメント板などの部材を用いて作成することができる。木材を用いる場合には、その表面に防水加工等を施すのがよい。上記堰止め材１３の断面形状は角形に限らない。
【００２５】
上記堰止め材１３は、図３にも示しているように、上記保水層１２と同程度の幅を有し、上下方向に一定間隔で複数配置されている。ここで、上記保水層１２がその下端から例えば７ｃｍ程度の高さまでしか保水できないのであるならば、上記堰止め材１３の配置間隔を１０ｃｍ〜２０ｃｍ程度とすることが考えられる。もちろん、これに限定されるものではなく、上記間隔を大きくとるようにしてもよい。
【００２６】
上記堰止め材１３によって上記保水層１２が区分される。この区分については、上記保水層１２を複数に切断分割することによる区分の他、一枚の保水層１２上に配置した上記堰止め材１３を上記支持体１１に固定して行う区分がある。すなわち、上記堰止め材１３で上記保水層１２を押さえ付けることでも水留めおよび区分が行える。各堰止め材１３は、ステープル、釘、ボルトなどの固定具により上記支持体１１に固定することができる。一方、各堰止め材１３を例えばセメントなどを用いて上記支持体１１と一体成形するならば、各堰止め材１３の固定作業を不要にすることができる。上記堰止め材１３の配置間隔は、上記植物２の上記区画領域の上下方向間隔に一致させることができる。
【００２７】
以上に説明した緑化面形成材１であれば、上記保水層１２を通る水を留める堰止め材１３を設けたので、この堰止め材１３が設けられている箇所での水持ちを良くすることができる。すなわち、図３において白抜き矢印で示したように、上記保水層１２を通る水は、上記堰止め材１３の配置箇所に至ると、この堰止め材１３上に溜まり、また、水平方向に広がり、上記堰止め材１３が設けられている箇所での水持ちが良くなる。そして、上記堰止め材１３上に溜まった水は、下方の保水層１２に溢れ伝っていき、同様の現象が繰り返される。また、上記堰止め材１３が設けられている箇所で上記のように水が伝わるので水道（みずみち）ができにくくなり、広い箇所で水分条件を極力同じにできる。
【００２８】
また、上記堰止め材１３によって上記保水層１２が区分され、この区分された保水層部分は全体大きさに比べて小さくなるので、上記保水層部分の形状に垂れは生じにくくなる。前述したが、上記区分については、上記保水層１２を複数に切断して行う区分の他、一枚の保水層１２の上から上記堰止め材１３を上記支持体１１に固定して行う区分があり、いずれの場合も、形状に垂れは生じにくくなる。
【００２９】
また、上記堰止め材１３が間隔をおいて上下方向に複数設けられているので、各植物２に対して水持ちが良好とされた部分を割り当てることができる。
【００３０】
上記構成では、堰止め材１３を用いて水留め部を構成したが、これに限らない。水留め部は上記保水層１２を上下に分断離間して空気層を介在させるだけでも形成することができる。また、分断された上記保水層１２の下面に止水処理を施してもよい。この止水処理としては止水材を設ける他、熱や薬剤による保水層変質化による止水処理などが挙げられる。上記止水材としては、いわゆるシーリング材やコーキング材などを用いることができる。また、上述したような切断しない区分としては、一枚の保水層１２の上から上記堰止め材１３を上記支持体１１に固定する方法の他、上記保水層１２に水の通りを阻止する樹脂などを含浸させて水留め部とすることも考えられる。
【００３１】
また、上記構成では、上記保水層１２の側部に対して特に処理は行わなかったが、上記保水層１２の側部について上述したような止水処理を施してもよいものである。これによれば、上記堰止め材１３で堰止められた水が上記保水層１２の側部に到達し、この側部から水がしみ出ていくのを防止できる。
【００３２】
また、上記保水層１２と上記表面層１４との間に、他の層、例えば、上記保水層１２の水を受け取って上記根張り領域に導く導水層を設けてもよい。この導水層は、導水性を有するシートからなり、水を毛管現象により吸い上げる能力に優れた、例えばポリエチレン、ポリエステル等の樹脂や合成繊維等からなる不織布（ニードルパンチ不織布、スパンレース不織布等）、トリコット等、或いはこれらの組み合わせを利用することができる。この導水層としては、例えば、バイレック揚水距離が１０分後で５ｃｍ以上、望ましくは１０ｃｍ以上となる素材を用いるのがよい。また、上記導水層は、植物２の根が入り込める密度を有するものとしてもよい。また、上記導水層は、上記堰止め材１３によって上記のように区分されてもよいし、区分されなくてもよい。
【００３３】
図４に示す緑化面形成材１においては、上記堰止め材１３に当該堰止め材１３を通過する水の量を調整する水通過調整穴１３ａが形成されている。これによれば、上記堰止め材１３で水持ち状態が過剰になるのを上記水通過調整穴１３ａによって防止することができる。上記水通過調整穴１３ａは全ての堰止め材１３に形成されている必要はない。また、上記水通過調整穴１３ａの大きさ、形状、配置位置は、図４に示したものに限らないし、これら大きさ等が堰止め材１３で異なっていてもよい。なお、上記保水層１２の下面に施す先述の止水処理を下面全体ではなく部分的に形成する方法、或いは上記樹脂の含浸を部分的に行う方法等でも、水通過調整部を形成することができる。
【００３４】
また、上記支持体１１上に上記保水層１２などを上記ステープル１７により固定したが、これに限らず、リベットや接着剤や縫製等によって固定するようにしてもよい。また、図５及び図６に示すような固定構造を採用してもよい。
【００３５】
図５に示した緑化面形成材１においては、上記縫い合わせの交差箇所にハトメ金具１９が装着されており、このハトメ金具１９の穴に釘２０を挿通させて上記支持体１１に打ち付けることでこの支持体１１上に上記保水層１２等からなる積層体を固定している。また、図６に示した緑化面形成材１においては、上記支持体１１にボルト２１が埋め込まれている一方、上記縫い合わせの交差箇所にハトメ金具１９が装着されており、このハトメ金具１９の穴に挿通させた上記ボルト２１にナット２２を螺合することにより、上記支持体１１に上記支持層１２等からなる積層体を固定している。なお、上記図３及び図４の構成において、上記ハトメ金具１９を用いない構成とすることも可能である。また、上記の釘２０やボルト２１を用いて上記堰止め材１３を上記支持体１１に固定するようにしてもよい。
【００３６】
上記緑化面形成材１は、外壁パネルやパーティションなどとして構成できる他、板状のオブジェや、筒状のオブジェとして構成することもできる。
【００３７】
図７に示した緑化面形成材１は、水留め部として上記保水層１２を上下に分断離間して得られた空気層１３Ａを備えている。この空気層１３Ａは、上記保水層１２の下面での水の表面張力により当該保水層１２の下面部で水を保持する。また、上記分断された各保水層１２の下面部には、水通過調整部として多数の排水用凸部１２ａが形成されている。上記排水用凸部１２ａは、下側が先鋭となる逆三角形状を有している。また、緑化面形成材１の最も下の保水層１２の下方には水受け部（樋でもよい）２５が設けられている。上記水受け部２５は上記支持体１１に固定することができる。
【００３８】
上記保水層１２内を下りて行く水は、各保水層１２の下部に至り、各排水用凸部１２ａの下部先端に集約され、当該先端から下方に位置する保水層１２の上面へと滴下して行く。すなわち、この図７の緑化面形成材１では、上記空気層１３Ａが上記保水層１２内の水を留めるための水留め部として機能するとともに、上記排水用凸部１２ａが上記空気層１３Ａを通過（滴下）する水の量を調整する水通過調整部として機能する。ここに、上記排水用凸部１２ａの形成個数を多くすると、上記空気層１３Ａを通過する水の量を増やすことができる。また、上記排水用凸部１２ａの形成間隔を均一にすると、各保水層１２内での水の偏在の程度を軽減することができる。すなわち、上記排水用凸部１２ａを均一配置することで上記保水層１２の下面部での保水量の均一化が図れる。なお、上記保水層１２の下面の表面積を増やすと、上記保水層１２の下面部での保水量を増やすことができる。また、上記排水用凸部１２ａの形成箇所で水道（みずみち）が形成されることになり、所望の箇所に水道を形成することができる。
【００３９】
図８に示した緑化面形成材１は、上記図７に示した空気層１３Ａおよび上記排水用凸部１２ａを有している。上記保水層１２の表面側には表面層１４が設けられている。そして、上記保水層１２と表面層１４との間に形成される根張り領域には土３が設けられ、植物２の根が入れられる。上記空気層１３Ａは上記根張り領域に繋がって存在する。
【００４０】
図９に示した緑化面形成材１は、上記図７に示した空気層１３Ａおよび上記排水用凸部１２ａを有している。上記保水層１２の表面側には上下に分断離間されない別の保水層１２（上記導水層等でもよい）が設けられており、上記別の保水層１２の表面側に表面層１４が設けられている。そして、上記保水層１２と表面層１４との間に形成される根張り領域には土３が設けられ、植物２の根が入れられる。上記空気層１３Ａは上記根張り領域に繋がらずに存在している。
【００４１】
図１０に示した緑化面形成材１は、水留め部として上記保水層１２の表層側のみを上下に分断離間して得られた空気層１３Ａを備えている。このような分断離間はエンボス加工等によって得ることができる。そして、上記分断された箇所の各保水層１２の下部には、上記排水用凸部１２ａが形成されている。なお、加圧によって得られた非分断箇所は、他の箇所に比べて高密度となって水は通り難くなるので、この非分断箇所も水留め部として機能し得る。
【００４２】
上記保水層１２内を下りて行く水の一部は、上記保水層１２の下部に至り、各排水用凸部１２ａの下部先端に集約され、当該先端から下側に位置する保水層１２の上面へと滴下して行く。すなわち、この図１０の緑化面形成材１でも、上記空気層１３Ａが上記保水層１２内の水を留めるための水留め部として機能するとともに、上記排水用凸部１２ａが上記空気層１３Ａを通過（滴下）する水の量を調整する水通過調整部として機能する。
【００４３】
図１１に示した緑化面形成材１は、上記図１０に示した空気層１３Ａおよび上記排水用凸部１２ａを有している。上記保水層１２の表面側には表面層１４が設けられている。そして、上記保水層１２と表面層１４との間に形成される根張り領域には土３が設けられ、植物２の根が入れられる。上記空気層１３Ａは上記根張り領域に繋がって存在する。
【００４４】
図１２に示した緑化面形成材１は、上記図１０に示した空気層１３Ａおよび上記排水用凸部１２ａを有しているが、上記保水層１２は表裏を逆にして配置されている。このため、上記保水層１２の表面側には上下に分断離間されない非分断箇所が位置し、当該非分断箇所の表面側に表面層１４が設けられる。そして、上記保水層１２と表面層１４との間に形成される根張り領域には土３が設けられ、植物２の根が入れられる。上記空気層１３Ａは上記根張り領域に繋がらずに存在している。
【００４５】
なお、上記排水用凸部１２ａは三角形状に限らず半円形状でもよい。また、上記保水層１２の下面に勾配（傾斜）を付けて上記空気層１３Ａを形成した場合でも、上記勾配が上記空気層１３Ａを通過（滴下）する水の量を調整する水通過調整部として機能することが可能である。
【符号の説明】
【００４６】
１      緑化面形成材
２      植物
３      土
１１    支持体
１２    保水層（層部）
１２ａ  排水用凸部（水通過調整部）
１３    堰止め材（水留め部）
１３ａ  水通過調整穴（水通過調整部）
１３Ａ  空気層（水留め部）
１４    表面層
１４ａ  第１シート
１４ｂ  第２シート
１５    切れ目部
１６    潅水管
【図１】
2014027915.tif 000003
【図２】
2014027915.tif 000004
【図３】
2014027915.tif 000005
【図４】
2014027915.tif 000006
【図５】
2014027915.tif 000007
【図６】
2014027915.tif 000008
【図７】
2014027915.tif 000009
【図８】
2014027915.tif 000010
【図９】
2014027915.tif 000011
【図１０】
2014027915.tif 000012
【図１１】
2014027915.tif 000013
【図１２】
2014027915.tif 000014